(57)【要約】【課題】スイッチ以外の部位に指先が触れてもスイッチが誤作動することのない信頼性の高いスイッチ装置を提供する。【解決手段】第１配線部（１５ａ）の一端が接続された第１タッチセンサ部（１７ａ）と、第２配線部（１９ａ）の一端が接続された第２タッチセンサ部（２１）と、が設けられたスイッチ装置（１）において、第２配線部のみに一端が接続され他端が開放されたタッチ配線部（３１ａ）が、タッチ操作によって当該第１配線部との間に一方の静電容量が生じた際に、当該タッチ操作によって当該タッチ配線部との間に他方の静電容量が生じるように配され、当該一方の静電容量と当該他方の静電容量とを検出した際に、当該タッチ操作を無効とするように構成されている。タッチセンサ部以外の部位（配線部）に指先がタッチすることにより当該タッチが無効となるので高い信頼性を得ることができる。【選択図】図１
2014010603.tif 000002
【特許請求の範囲】
【請求項１】
表面をタッチ操作面とする誘電シートの裏側面側に、第１配線部の一端が接続された第１タッチセンサ部と、第２配線部の一端が接続された第２タッチセンサ部と、が設けられ、
当該第１配線部の他端と当該第２配線部の他端とが電気的に接続されたセンサ制御部と、を含めて構成されたスイッチ装置において、
当該誘電シートの裏側面側に、当該第２配線部のみに一端が接続され他端が開放されたタッチ配線部が、当該タッチ操作面に対するタッチ操作によって当該第１配線部との間に一方の静電容量が生じた際に、当該タッチ操作によって当該タッチ配線部との間に他方の静電容量が生じるように配され、
当該センサ制御部は、当該一方の静電容量と当該他方の静電容量とを検出した際に、当該タッチ操作を無効とするように構成されている
ことを特徴とするスイッチ装置。
【請求項２】
前記タッチ配線部は、前記第１配線部と並行に配され、
前記タッチ配線部の他端は前記第１タッチセンサ部の近傍に配されている
ことを特徴とする請求項１記載のスイッチ装置。
【請求項３】
前記第１タッチセンサ部および前記第２タッチセンサ部以外に、ｎ（ｎは、自然数）個のタッチセンサ部が設けられ、
当該ｎ個のタッチセンサ部の各々に対応するｎ個の配線部が設けられ、
当該ｎ個の配線部において互いに隣接する配線部間には、前記第１配線部と前記第２配線部との間の構造的・電気的関係と同じ構造的・電気的関係が構築されている
ことを特徴とする請求項１または２記載のスイッチ装置。
【発明の詳細な説明】
【技術分野】
【０００１】
本発明は、タッチ操作面を有するスイッチ操作部を備え、静電容量方式を入力方式とするスイッチ装置に関する。
【背景技術】
【０００２】
特許文献１には、複数のスイッチ電極と、これらのスイッチ電極の周囲を包囲する包囲スイッチ電極とを備えるスイッチ装置が開示されている。包囲スイッチ電極には、各スイッチ電極と相似形で僅かに大きな開口群を備え、それぞれの開口の中に１個ずつスイッチ電極が配されている。このように構成されたスイッチ装置は、各スイッチ電極に指が触れたときの検出値が所定の閾値を満足させたときに「オン」となるように設定されている。また、包囲スイッチ電極は、水などの誘電体が触れたときに、「オン」となるようになっている。ここで、スイッチ電極の静電容量の変化が閾値を満足させるが、包囲スイッチ電極に静電容量の変化が認められなければ、スイッチ電極が指で操作されたと判断するように、また、スイッチ電極と包囲スイッチ電極の両者に静電容量の変化が認められたなら包囲スイッチ電極に水等が付着していると判断するように構成されている。
【０００３】
特許文献２に開示されたスイッチ装置は、互いに隣接する第１接触スイッチと第２接触スイッチに加え、ダミースイッチを備えている。ダミースイッチは、一部欠落した矩形環状に形成され、第１接触スイッチと第２接触スイッチを、それぞれ別個に包囲するように配されている。ここで、第１接触センサ部から出力があるとき、同時にダミースイッチからも出力があるなら、両接触スイッチ部が同時操作されたものとして、第１接触スイッチの出力を無効とするように構成されている。第２接触スイッチについても、上記同様に作動するようになっている。
【０００４】
上記したスイッチ装置は、たとえば、ＩＴＯ（Indium Tin Oxide）のような透明電極材料から構成され、これらの配線パターンの形成には銀ペーストなどの導電ペーストが用いられることが多い。このようにして構成されるスイッチは、車載のタッチパネル等に応用され、操作されるためのスイッチであるから人目につき易いところに配されるのが一般的である。
【先行技術文献】
【特許文献】
【０００５】
【特許文献１】特開２００８−１４１３２９号（段落０００８〜００１０、図８参照）
【特許文献２】特開２００９−１１１９９６号（段落００２１〜００２３、図１参照）
【発明の概要】
【発明が解決しようとする課題】
【０００６】
スイッチ電極や接触スイッチなどが目につき易いところに配されることは、前述した。ところが、上述したスイッチの類だけではなく、スイッチに付随する配線パターンも、また、目につき易い。スイッチ類であれば目につくのは当然としても、それらが配されるタッチパネル等のデザイン性を保つためには、配線パターンはできるだけ目立たせたくない。目立たせないために、配線パターンの厚みをなるべく薄いものとすることが考えられる。しかし、薄くすると、配線パターンの断面積が小さくなるので、その分、配線抵抗が増加し電気的問題につながりやすい。配線抵抗の増加を抑制するためには、たとえば、配線パターンの幅を広げることが考えられる。しかし、幅を広げると、広げた分だけ静電容量が増えることになり、充分な静電容量を蓄えた配線パターンがスイッチと同じ機能を果たしてしまうことがある。つまり、配線パターンに対するタッチがスイッチに対するタッチと電気的同等に扱われ、これがスイッチ全体の誤動作になるという不都合が生じる。
【０００７】
上記した不都合は、操作者がスイッチだけに指を触れさせ、他の部位に触れさせなければ問題にならない。しかし、操作者が触れようと思ったスイッチ以外の部位を誤って触れてしまうことはよくあることであり防ぎようがない。たとえば、カーナビゲーションを操作するつもりだったのに狙いがはずれラジオのスイッチを誤って指で押してしまったり、押すつもりはなかったのに動かした手先がたまたま配線部位に触れオンしていたエアコンをオフさせてしまったりすることは、誰しもが経験する。しかし、このような経験は決して心地よいものではなく、スイッチ装置に対する不信感につながる。本発明は、この観点からなされたものである。すなわち、スイッチ（タッチセンサ部）以外の部位に指先が触れてもスイッチが誤作動することのない信頼性の高いスイッチ装置を提供することを目的とする。
【課題を解決するための手段】
【０００８】
上記課題を解決するために本発明は、次の構成を備えている。なお、いずれかの請求項記載の発明を説明するに当たって行う用語の定義等は、その記載順に関わりなく、可能な範囲において他の請求項記載の発明にも適用があるものとする。
【０００９】
（請求項１記載の発明の特徴）
請求項１記載の発明に係るスイッチ装置（以下、適宜「請求項１の装置」という）は、表面をタッチ操作面とする誘電シートの裏側面側に、第１配線部の一端が接続された第１タッチセンサ部と、第２配線部の一端が接続された第２タッチセンサ部と、が設けられ、当該第１配線部の他端と当該第２配線部の他端とが電気的に接続されたセンサ制御部と、を含めて構成されたスイッチ装置である。ここで、当該誘電シートの裏側面側に、当該第２配線部のみに一端が接続され他端が開放されたタッチ配線部が、当該タッチ操作面に対するタッチ操作によって当該第１配線部との間に一方の静電容量が生じた際に、当該タッチ操作によって当該タッチ配線部との間に他方の静電容量が生じるように配されている。その上で、当該センサ制御部は、当該一方の静電容量と当該他方の静電容量とを検出した際に、当該タッチ操作を無効とするように構成されている。
【００１０】
請求項１の装置によれば、タッチ操作面に対するタッチ操作（通常は、誤った操作）が行われると、タッチした操作者の指、指以外の体の一部等の導電体と第１配線部との間に誘電シートを挟んで対向するコンデンサ構造が形成され、これによって、一方の静電容量が生じる。当該タッチ操作は、併せてタッチ配線部との間に他方の静電容量を生じさせる。一方の静電容量は第１配線部を介して、他方の静電容量は第２配線部を介して、それぞれセンサ制御部に検出され、これらに伴い、センサ制御部は当該タッチ操作を無効とする。ここで、タッチ配線部がなければ第１配線部に対するタッチ操作（すなわち、一方の静電容量の発生）を第１タッチセンサ部に対するタッチ操作（静電容量の発生）と誤認する恐れがあるが、タッチ配線部があることにより当該タッチ操作が無効とされるため上記誤認の恐れがなくなる。以上により、誤作動が少なく信頼性の高いスイッチ装置を提供することができる。なお、タッチ配線部は、第１配線部の全長に亘って配することもできるが、必ずしも全長に亘って配さなければないわけではない。第１タッチセンサ部や第２センサ部、さらには、これらと第１配線部や第２配線部の形状、長さ、さらに相対位置等を考慮したときに、およそ誤った（不要な）タッチが行われるであろう部位のみに設けることもよい。また、本明細書における「第１」と「第２」とは、何れかを区別する趣旨ではなく、何れかを一方としたときの他方を示している。したがって、両者間に主従も依存関係もなく、両者を入れ替えたとしても何ら影響を受けない。
【００１１】
（請求項２記載の発明の特徴）
請求項２記載の発明に係るスイッチ装置（以下、適宜「請求項２の装置」という）は、請求項１のスイッチ装置であって、前記タッチ配線部は、前記第１配線部と並行に配され、前記タッチ配線部の他端は前記第１タッチセンサ部の近傍に配されている。第１配線部が屈曲部や湾曲部等を有する場合は、タッチ配線部も同じく屈曲部や湾曲部等を有するように構成することが好ましい。すなわち、タッチ配線部は、第１配線部に隣位し、さらに、第１配線部に沿うように構成されることが好ましい。
【００１２】
請求項２の装置によれば、請求項１の装置の作用効果に加え、タッチ配線部の他端、すなわち、開放端が第１タッチセンサ部の近傍に配されていることから、第１配線部のほとんどの部分がタッチ配線部に付き添われている。したがって、第１配線部のほとんどの部位において誤ったタッチ操作が無効にされることになり、これによって、より高い信頼性を実現することができる。
【００１３】
（請求項３記載の発明の特徴）
請求項３記載の発明に係るスイッチ装置（以下、適宜「請求項３の装置」という）は、請求項１または２のスイッチ装置であって、前記第１タッチセンサ部および前記第２タッチセンサ部以外に、ｎ（ｎは、自然数）個のタッチセンサ部が設けられ、当該ｎ個のタッチセンサ部の各々に対応するｎ個の配線部が設けられ、当該ｎ個の配線部において互いに隣接する配線部間には、前記第１配線部と前記第２配線部との間の構造的・電気的関係と同じ構造的・電気的関係が構築されている。仮に、ｎ＝１であれば、たとえば、上記第２配線部を一方の配線部とみなし、第ｎ配線部を他方の配線部とみなせば、両配線部間に、上記した第１配線部と第２配線部と同じ構造的・電気的関係を構築することができる。
【００１４】
請求項３の装置によれば、請求項１または２の装置の作用効果に加え、多数のタッチセンサ部（配線部）を備えるものであっても、配線部に対する誤ったタッチ操作を無効にすることにより、スイッチ装置全体の信頼性を高めることができる。
【発明の効果】
【００１５】
タッチセンサ部以外の部位（配線部）に指先がタッチしてもタッチセンサ部が誤作動することのない信頼性の高いスイッチ装置を提供することができる。
【図面の簡単な説明】
【００１６】
【図１】スイッチ装置の全体概略図である。
【図２】図１に示すパネルスイッチのＡ−Ａ断面図である。
【図３】図１に示すパネルスイッチの拡大図である。
【図４】検出動作を示すフローチャートである。
【図５】図３に示すパネルスイッチの変形図である。
【図６】多数のタッチセンサ部を備えるパネルスイッチの概略平面図である。
【発明を実施するための形態】
【００１７】
（スイッチ装置の全体構成）
図１および２に示すように、スイッチ装置１は、パネルスイッチ３と制御基板５から構成されている。パネルスイッチ３は、平面視矩形の誘電シート１１によって、その表面がカバーされている。誘電シート１１は、たとえば、アクリル板やガラス板のような誘電体によって構成され、その表面（図２に示す最上面）は、操作者が指ｆ（図２）などをタッチさせるためのタッチ操作面１１ａになっている。タッチ操作面１１ａの裏側面１１ｂには、たとえばＰＥＴ（Polyethylene Terephthalate）フィルムからなる矩形の電極シート１３が接着部材（両面テープ等、図示を省略）で貼り付けられている。
【００１８】
電極シート１３には、透明電極、たとえば、ＩＴＯ(Indium Tin Oxide)で形成された、第１タッチセンサ部１５ａ（１５ｂ）、第１タッチセンサ部１５ａ（１５ｂ）に一端が接続された第１配線部１７ａ（１７ｂ）、第１タッチセンサ部１５ａ（１５ｂ）に隣接する第２タッチセンサ部１９ａ（１９ｂ）、第２タッチセンサ部１９ａ（１９ｂ）に一端が接続された第２配線部２１ａ（２１ｂ）、および、電極シート１３の周囲を包囲するように配されたＧＮＤ配線部２３が設けられている。符号３１ａ（３１ｂ）は、タッチ配線部３１ａ（３１ｂ）を示している。なお、本実施の形態では、誘電シート１１の裏側面１１ｂ側に電極シート１３を配置したが、電極シート１３を配置せずに、誘電シート１１の裏側面１１ｂにタッチセンサ部、配線部、タッチ配線部を設けてもよい。
【００１９】
図１に示すように、制御基板５にはワンチップマイコン７が搭載されている。ワンチップマイコン７の各端子は、コネクタ９を介して電極シート１３の各配線部に電気的に接続されている。タッチ配線部３１ａ（３１ｂ）については、項を改めて説明する。なお、第１タッチセンサ部１５ａと第１タッチセンサ部１５ｂと、第１配線部１７ａと第１配線部１７ｂと、第２タッチセンサ部１９ａと第２タッチセンサ部１９ｂと、第２配線部２１ａと第２配線部２１ｂと、さらに、タッチ配線部３１ａとタッチ配線部３１ｂとは、それぞれ同じ構造のものを対称配置してあるだけなので、各々前者について説明し後者については説明を省略する。
【００２０】
（タッチ配線部の構造）
図３に示すように、タッチ配線部３１ａは、一端と他端とを有し、その一端は第２配線部２１ａのみ（他の電極に接続されていない）に接続され他方は開放端３１ａｔ（開放端３１ｂｔの説明は省略）になっている。より具体的に示すと、タッチ配線部３１ａは、第２配線部２１ａの屈曲部から枝分かれして第１配線部１７ａと並行に突き出すように配されている。タッチ配線部３１ａの開放端３１ａｔは、第１配線部１７ａの屈曲部近傍に位置している。本実施形態では、第１配線部１７ａ、第２配線部２１ａ、およびタッチ配線部３１ａの線径（幅）は、１ｍｍ前後に設定され、また、第１配線部１７ａとタッチ配線部３１ａの間の隙間幅は、０．０２〜０．２ｍｍの範囲に設定されている。第１配線部１７ａ等の線径は上記した１ｍｍ前後に限られるものではなく、パネルスイッチ３の大きさや個数、さらに、配線の集積度合いなどに合わせ、各々の幅寸法は適宜増減することができる。一方、第１配線部１７ａとタッチ配線部３１ａ間の隙間幅は、０．２ｍｍ以下に設定することが好ましい。上記設定範囲の逸脱を妨げるものではないものの、０．２ｍｍ以下とすることが好ましい理由が存在する。その理由とは、すなわち、上記隙間幅であれば、一般人の指の形状や大きさ等に照らし、第１配線部１７ａに指でタッチしたとき（図２）、そのままタッチ配線部３１ａにもタッチせざるを得ないような間隔（第１配線部１７ａのみに指でタッチすることが難しい間隔）だからである（図３に２点鎖線で示す指ｆ）。
【００２１】
上記構造を有するパネルスイッチ３のタッチ操作面１１ａに指ｆ（導電体）が近づくと、誘電シート１１を電極（たとえば、第２タッチセンサ部１５ａ）指ｆで挟んだコンデンサ構造が形成され両者間の静電容量が増加する。また、逆にパネルスイッチ３から指が離れると、コンデンサ構造が崩れて両者間の静電容量が減少する。この関係は、タッチ配線部３１ａを含めた第２タッチセンサ部１９ａ以外の部位についても同じである。したがって、タッチ操作面１１ａの上から第１配線部１７ａにタッチ（指を近づけること）が行われると、これに伴いタッチ配線部３１ａにもタッチが行われたことになり、このとき、指と第１配線部１７ａとの間、および指とタッチ配線部３１ａとの間のそれぞれで静電容量が増加することになる。
【００２２】
図１に示すワンチップのマイコン７は、内蔵されたＲＯＭ(Read Only Memory)に内蔵されたソフトウエアを所定のワークエリア内で実行するように構成されている。すなわち、マイコン７は、第１タッチセンサ部１５ａや第２タッチセンサ部１９ａに対するタッチに基づく静電容量の増加分を、メモリに記憶された閾値（センサ閾値）と比較し満足したときにスイッチをオンし、次のタッチに基づく静電容量の増加がセンサ閾値を満足したときにスイッチをオフにすることを基本動作としている。ここで、ワンチップマイコンを採用した理由は、そのコンパクトさと配線作業などの容易さにあるが、ワンチップマイコン以外の部材を用いて制御基板５を構成することに何ら問題はない。
【００２３】
本実施形態では、上記したセンサ閾値を第１配線部１７ａとタッチ配線部３１ａに対するタッチに基づく静電容量の増加分をもってスイッチがオンとオフするように設定されている。第１配線部１７ａとタッチ配線部３１ａの占有面積は、第１タッチセンサ部１５ａと第２タッチセンサ部１９ａの占有面積よりも狭いことは説明を要しないが、このことは、前二者の方が後二者よりも静電容量の増加幅が小さいことを意味する。これにより、前二者に対応できるようにセンサ閾値を設定しておけば、後二者に対しても対応可能である、というのが、センサ閾値が第１配線部１７ａとタッチ配線部３１ａに対応できるように設定された理由である。
【００２４】
ここで、マイコン７は、タッチ操作面１１ａに対するタッチ操作で第１タッチセンサ部１５ａの静電容量（の増加）がセンサ閾値を満たすことを検出したとき、同じタッチ操作によって第２タッチセンサ部１９ａの静電容量（の増加）が上記同様にセンサ閾値を満たすことを検出したなら、第１タッチセンサ部１５ａに対するタッチ操作を無効とするようにプログラムされている。このことは、タッチ操作面１１ａに対するタッチ操作で第１配線部１７ａの静電容量（の増加）がセンサ閾値を満たすことを検出したとき、同じタッチ操作によってタッチ配線部３１ａの静電容量（の増加）が上記同様にセンサ閾値を満たすことを検出したなら、第１タッチセンサ部１５ａに対するタッチ操作を無効とするように併せてプログラムされていることになる。上述したように本実施形態では、第１タッチセンサ部１５ａ等に対するタッチとタッチ配線部３１ａ等に対するタッチとを区別していないが（後者に対するタッチを前者に対するタッチとみなしている）、前者後者を区別するようにプログラムすることを妨げるものではない。
【００２５】
（検出動作例）
図１、２および４を参照しながら、スイッチ装置１の動作について説明する。マイコン７は、操作者によるタッチに基づく第１タッチセンサ部１５ａの静電容量の増加を常に計測しており（Ｓ１）、計測したときはその静電容量増加分がセンサ閾値を満足するどうかを判断する（Ｓ３）。Ｓ３において、センサ閾値を満足しないのであれば、マイコン７はＳ１に戻り、再度、第１タッチセンサ部１５ａの静電容量の増加を計測する。一方、Ｓ３において、静電容量の増加がセンサ閾値を満足した場合のマイコン７は、第２タッチセンサ部１９ａの静電容量を計測する（Ｓ５）。第１タッチセンサ部１５ａとともに、第２タッチセンサ部１９ａが上記第１タッチセンサ部１５ａに対するタッチと併せてタッチされていないか（すなわち、誤操作がないか）を確認するためである。
【００２６】
Ｓ５において、第２タッチセンサ部１９ａの静電容量の増加を検出したなら、マイコン７は、その静電容量の増加がセンサ閾値を満足するかどうかを判断する（Ｓ７）。Ｓ７において、第２タッチセンサ部１９ａの静電容量の増加がセンサ閾値を満足しないと判断したなら、マイコン７は、上記した第１タッチセンサ部１５ａに対するタッチ操作を有効なものと確定し（Ｓ９）、オンまたはオフ信号を送出する（Ｓ１１）。オンまたはオフ信号の送出は、スイッチ装置
１の基本機能である。
【００２７】
他方、Ｓ７において、第２タッチセンサ部１９ａの静電容量がセンサ閾値を満足すると判断したマイコン７は、誤操作があったものとして第１タッチセンサ部１５ａに対するタッチ操作を無効とする（Ｓ１５）。ここで、本実施形態では採用していないが、Ｓ１５の無効処理とともに、たとえば、無効にされた旨を操作者に知らせるための警告音を発したり第１タッチセンサ部１５ａを点滅させたりするように構成してもよい。
【００２８】
ここで、タッチ操作面１１ａを介して第１配線部１７ａにタッチ（図３に２点鎖線で示す指ｆ）が行われたときマイコン７は、第１配線部１７ａに対するタッチと第１タッチセンサ部１５ａに対するタッチを区別していないため、当該第１配線部１７ａに対するタッチを第１タッチセンサ部１５ａに対するタッチとみなして処理を行う（Ｓ１，Ｓ２）。第１配線部１７ａに対するタッチがセンサ閾値を満足したなら、マイコン７は、第２タッチセンサ部１９ａの静電容量の計測を行う（Ｓ５）。このとき、タッチ配線部３１ａに対するタッチに基づく静電容量の増加を第２タッチセンサ部１９ａに対するタッチとみなし、第１配線部１７ａに対するタッチ操作を無効とする（Ｓ１５）。以上により、第１配線部１７ａに対するタッチ操作が無効となり、その結果、スイッチ装置１の信頼性が向上する。
【００２９】
（本実施形態の第１変形例）
図５に示すパネルスイッチは、図３に示すパネルスイッチ３と基本的に異ならない。両者が異なる点は、タッチ配線部３１ａの形状のみである。したがって、図５においては、図３において使用する部材番号と同じ部材番号を使用するとともに、説明はタッチ配線部３１ａについてだけ行うことにする。
【００３０】
図５に示すタッチ配線部３１ａは、第１配線部１７ａと並行に配されている点は、図３に示す第１配線部１７ａと同じである。第１配線部１７ａは、ほぼ直角に折れる屈曲部を有しており、タッチ配線部３１ａも同様な屈曲部を有している。ここで、一端が第２配線部１９ａにのみ接続されたタッチ配線部の他端（開放端３１ａｔ）は、第１タッチセンサ部１５ａの近傍に配されている点に、第１変形例の特徴がある。開放端３１ａｔが第１タッチセンサ部１５ａの近傍に配されていることから、第１配線部１７ａのほとんどの部分がタッチ配線部１９ａに付き添われている。したがって、ほとんどの部位において、第１配線部１７ａがタッチ配線部３１ａから孤立していない。このため、第１配線部３１ａに対する誤ったタッチ操作のほとんどもしくは全部が無効にされる。このことは、スイッチ装置の用途やタッチセンサ部の個数・形状等にもよるが、スイッチ装置１の誤操作防止における信頼性を高めることに貢献する。
【００３１】
（本実施形態の第２変形例）
図６において、符号５１ａは、第１タッチセンサ部を示す。同じく符号５１ｂは、第１タッチセンサ部５１ａに隣接する第２タッチセンサ部を示す。第１タッチセンサ部５１ａに接続された第１配線部５３ａには、第２配線部５３ｂの屈曲部から枝分かれしたタッチ配線部５５ａが並行して配されている。符号６１ａ、６１ｂは、それぞれ前掲したマイコン７と同じ働きを担うワンチップのマイクロコンピュータ（マイコン）を示す。
【００３２】
図６には、上記した第１タッチセンサ部５１ａおよび第２タッチセンサ部５１ｂ以外に、１５個（合計１７個）のタッチセンサ部５１ｃ〜５１ｓ（アルファベット順は連続していない）が設けられ、これらに対応するタッチ配線部５５ａ〜５５ｌ（アルファベット順は連続していない）が設けられている。このようにタッチセンサ部５１ｃから始まる他のタッチセンサ部において、互いに隣接する配線部間に、第１配線部５３ａと第２配線部５３ｂおよびタッチ配線部５５ａとの間の構造的・電気的関係と同じ構造的・電気的関係が構築されている。すなわち、配線部を複線化するように、タッチ配線部を設けることが好ましい。複雑化することによって、ある配線部に指でタッチしたとき、不可避的に他の配線部にもタッチする可能性（当該タッチを無効とする可能性）をより高め、これが、スイッチ装置全体の信頼性をさらに向上させるからである。
【００３３】
また、図６において、配線部が複線（たとえば、配線部５３ｄと配線部５３ｅ）になっている部分に対してさらにタッチ配線部（たとえば、タッチ配線部５５ｃ）を配している箇所があるが、これは、隣接するタッチセンサ部に至る配線部の部位（上記例における、配線部５３ｄのうちタッチセンサ部５１ｅとタッチセンサ部５１ｄとの間の部位）の単線化（隣接する配線部がなく単独の状態）を防止するために、隣接するタッチセンサ部（上記例におけるタッチセンサ部５１ｄ）の近傍まで延びるタッチ配線部を設けている。すなわち、上記例における配線部５３ｄと配線部５３ｅは、図面右端のマイコン６１ａからタッチセンサ５１ｅまでは複線化されているが、タッチセンサ５１ｅを過ぎると単線化してしまう。このような単線化をなくす構成にすることによって、誤動作のない信頼性の高いタッチパネルを供給することができる。なお、図６における各タッチ配線部を各配線部よりも太く表示したが、これは、両者を区別するためのみのためであって、必ずしもタッチ配線部が太くなくてはならないということではない。
【００３４】
なお、上記したように第２変形例における第１タッチセンサ部５１ａおよび第２タッチセンサ部５１ｂ以外のタッチセンサ部の数を１５個としたが、これに限る必要はなく、スイッチ装置の形態、用途、機能等に合わせてｎ（ｎは、自然数）個とすることを妨げない。
【符号の説明】
【００３５】
１          スイッチ装置
３          パネルスイッチ
５          制御基板
７          マイコン
９          コネクタ
１１          誘電シート
１１ａ        タッチ操作面
１１ｂ        裏側面
１３          電極シート
１５ａ        第１タッチセンサ部
１５ｂ        第１タッチセンサ部
１７ａ        第１配線部
１７ｂ        第１配線部
１９ａ        第２タッチセンサ部
１９ｂ        第２タッチセンサ部
２１ａ        第２配線部
２１ｂ        第２配線部
２３          ＧＮＤ配線部
３１ａ        タッチ配線部
３１ａｔ      開放端
３１ｂ        タッチ配線部
３１ｂｔ      開放端
５１ａ        第１タッチセンサ部
５１ｂ        第２タッチセンサ部
５１ｃ〜ｓ    第３〜ｓタッチセンサ部
５３ａ        第１配線部
５３ｂ        第２配線部
５３ｃ〜ｓ    第３〜ｓ配線部
５５ａ〜ｌ    タッチ配線部
６１ａ，６１ｂ  マイコン
【図１】
2014010603.tif 000003
【図２】
2014010603.tif 000004
【図３】
2014010603.tif 000005
【図４】
2014010603.tif 000006
【図５】
2014010603.tif 000007
【図６】
2014010603.tif 000008